(57)【要約】【課題】本発明は、レンズ操作リングがエンコーダ方式のレンズ装置において、移動レンズの移動位置をレンズ装置の外観から認識することができるレンズ装置を提供する。【解決手段】本発明のレンズ装置１０によれば、フォーカスリング３６を回転操作してフォーカスレンズ１６を移動させ、フォーカスレンズ１６の現在位置をポテンショメータ４８によって検出すると、ＣＰＵ３４は、その現在位置に基づいて、その現在位置に対応するＬＥＤ表示装置５６のＬＥＤ５６Ａ〜５６Ｉのうちの一つを点灯又は点滅制御する。カメラマンは、ＬＥＤ５６Ａ〜５６Ｉのうち点灯又は点滅した一つのＬＥＤを確認し、そのＬＥＤに対応した目盛り板６０の数値を見ることにより、フォーカスレンズ１６の現在位置、すなわち撮影距離をレンズ装置１０の外観から確認することができる。【選択図】      図１
2006201694.tif 000002
【特許請求の範囲】
【請求項１】
鏡胴内に配置され、光軸方向に移動自在に設けられた移動レンズと、
前記移動レンズを移動操作し、エンドレスに回転する操作手段と、
前記操作手段の操作位置を検出する、回転制止端の存在しない操作手段位置検出手段と、
前記操作手段位置検出手段からの出力に応じて移動レンズを移動させるレンズ駆動部と、
前記移動レンズの移動位置を検出するレンズ位置検出手段と、
前記鏡胴の外表面に設けられ、前記レンズ位置検出手段によって検出された前記移動レンズの現在位置を表示する表示手段と、
前記表示手段を表示制御する制御手段と、
を備えたことを特徴とするレンズ装置。
【発明の詳細な説明】
【技術分野】
【０００１】
本発明はレンズ装置に係り、特に移動レンズの移動位置を指示するレンズ操作リングが鏡胴に回動制止端無くエンドレスで回動自在に設けられたレンズ装置に関する。
【背景技術】
【０００２】
特許文献１に開示されたレンズ装置のフォーカス調整は、フォーカスリングを回動操作することにより行われる。すなわち、フォーカスリングを回転操作すると、フォーカスリングの回動角度がロータリーエンコーダによって検出され、この回転角度に応じて出力されるパルス数に基づいてフォーカスレンズがステッピングモータにより所望の位置（撮影距離）まで移動調整される。
【０００３】
このようなエンコーダ方式のフォーカスリングは、民生カメラの場合、レンズ鏡胴に回動制止端無くエンドレスで回動自在に設けられている。したがって、フォーカスリングの回動角度をエンコーダで検出するレンズ装置は、フォーカスリングが無限に回転するので、カメラマンがフォーカスレンズの現在位置（撮影距離）をレンズ装置の外観から認識するのは困難であり、電子ビューファインダに表示された数値等を見て確認していた。
【特許文献１】特開平１１−２３９４３号公報
【発明の開示】
【発明が解決しようとする課題】
【０００４】
しかしながら、エンコーダ方式のレンズ装置であっても、レンズ装置の外観からフォーカスレンズの現在位置（撮影距離）を認識したい場合がある。例えば、エンコーダ方式のレンズ装置を複数台備えて被写体を撮像する場合に、カメラマンが隣のレンズ装置の撮影距離を参考にしたい場合があるが、従来のエンコーダ方式のレンズ装置は、外観から撮影距離を認識することができないため、それが困難であった。
【０００５】
本発明は、このような事情に鑑みてなされたもので、操作手段であるレンズ操作リングが、回転制止端の存在しないエンドレスのエンコーダ方式のレンズ装置において、移動レンズの現在位置をレンズ装置の外観から認識することができるレンズ装置を提供することを目的とする。
【課題を解決するための手段】
【０００６】
本発明は、前記目的を達成するために、鏡胴内に配置され、光軸方向に移動自在に設けられた移動レンズと、前記移動レンズを移動操作し、エンドレスに回転する操作手段と、前記操作手段の操作位置を検出する、回転制止端の存在しない操作手段位置検出手段と、前記操作手段位置検出手段からの出力に応じて移動レンズを移動させるレンズ駆動部と、前記移動レンズの移動位置を検出するレンズ位置検出手段と、前記鏡胴の外表面に設けられ、前記レンズ位置検出手段によって検出された前記移動レンズの現在位置を表示する表示手段と、前記表示手段を表示制御する制御手段と、を備えたことを特徴としている。
【０００７】
本発明によれば、操作手段を回転操作し、操作手段位置検出手段からの出力に応じてレンズ駆動部により移動レンズを移動させ、移動レンズの現在位置をレンズ位置検出手段によって検出すると、制御部は、その現在位置に基づいて、その現在位置を表示手段に表示させる。カメラマンは、表示手段を見ることにより、移動レンズが移動範囲のどの当たりに位置しているか、また、目盛りに数値が付されている場合には現在位置を数値として確認することができる。移動レンズではないが、絞りの状態を点灯又は点滅表示する表示手段を鏡胴の外表面に設ければ、Ｆ値をレンズ装置の外観から認識することができる。
【発明の効果】
【０００８】
本発明に係るレンズ装置によれば、移動レンズの現在滅表示する表示手段を、鏡胴の外表面に設けたので、移動レンズの現在位置をレンズ装置の外観から認識することができる。
【発明を実施するための最良の形態】
【０００９】
以下、添付図面に従って本発明に係るレンズ装置の好ましい実施の形態について詳説する。
【００１０】
図１は、本発明の実施の形態に係るレンズ装置１０の要部側面図であり、図２は、レンズ装置１０のフォーカスレンズの操作に用いられるレンズ操作装置を示した構成図である。図２に示すようにレンズ装置１０は、鏡胴１２内に前方から前玉レンズ１４、フォーカスレンズ（移動レンズ）１６、ズームレンズ１８、絞り２０、マスターレンズ２２が順に配設される。そして、マスターレンズ２０の後方には、カメラ部２４のＣＣＤ２６が配設される。したがって、レンズ、１４、１６、１８、２２を通過した被写体光は、ＣＣＤ２６の受光面に結像され、ＣＣＤ２６によって電気信号に変換される。
【００１１】
ＣＣＤ２６から出力された電気信号は、撮像回路２８に入力され、撮像回路２８によって映像信号に生成される。そして、この映像信号は、カメラの電子ビューファインダ３０や外部映像表示装置３２に出力される。これにより、電子ビューファインダ３０や外部映像表示装置３２には撮影中の映像が表示される。
【００１２】
また、レンズ装置１０には、フォーカスレンズ１６の駆動制御を行うＣＰＵ（中央演算処理装置：制御部）３４が搭載される。このＣＰＵ３４には、図１に示すフォーカスリング（操作手段）３６のロータリーエンコーダ３８（以下、単にエンコーダ３８という。：操作手段位置検出手段）が、ロータリーエンコーダカウンタ４０（以下、単にカウンタ４０という。）を介して接続される。
【００１３】
エンコーダ３８は、フォーカスリング３６が回転操作されると、その回転操作による回転量（回転角度）及び回転方向に対応したパルス信号をカウンタ４０に出力する。カウンタ４０は、エンコーダ３８から出力されたパルス信号に基づいてアップカウント又はダウンカウントし、フォーカスリング３６の回転角度及び回転方向を数値化する。
【００１４】
ＣＰＵ３４は、カウンタ４０から適宜カウント値を読み出しフォーカスリング３６の回転角度及び回転方向を検出する。
【００１５】
また、ＣＰＵ３４には、モーター駆動回路４２がＤ／Ａコンバータ４４を介して接続される。ＣＰＵ３４は、カウンタ４０のカウント値によって検出したフォーカスリング３６の回転角度及び回転方向に基づいてフォーカスレンズ１６の移動位置を指示する制御信号をＤ／Ａコンバータ４４を介してモーター駆動回路４２に出力する。
【００１６】
モーター駆動回路４２は、入力した制御信号に基づいてステッピングモーター（レンズ駆動部）４６を駆動してフォーカスレンズ１６を移動させるとともに、ポテンショメータ（レンズ位置検出手段）４８によってフォーカスレンズ１６の位置を検出し、フォーカスレンズ１６を制御信号が示す位置まで移動させる。なお、フォーカスレンズ１６は、ＣＰＵ３４から出力された制御信号の電圧（コントロール電圧）と、フォーカスレンズ１６の位置を示すポテンショータ４８の電圧が等しくなる位置にフォーカスレンズ１６を移動させる。
【００１７】
また、ＣＰＵ３４は、レンズ装置１０の電源スイッチ５０がＯＮされると、フォーカスレンズ１６を至近端に位置させる制御信号をＤ／Ａコンバータ４４を介してモーター駆動回路４２に出力する。したがって、電源スイッチ５０をＯＮにすると、フォーカスレンズ１６が至近端に自動で位置し、ここがホームポジションとなる。
【００１８】
ここで、フォーカスリング３６の回転角度及び回転方向に基づいてフォーカスレンズ１６の移動位置を求めるＣＰＵ３４の処理手順について説明する。
【００１９】
図２に示すようにＣＰＵ３４には設定手段５２が接続される。この設定手段５２は、フォーカスリング３６の回転角度に対するフォーカスレンズ１６の移動位置を示すレンズ移動曲線を設定する手段であり、図３に設定手段５２によって設定されるレンズ移動曲線の一例を示す。同図にＡの直線で示すように、通常は、所定の基準点からのフォーカスリング３６の回転角度に対してフォーカスレンズ１６が至近端から無限遠端まで比例して移動するように設定される。なお、本実施の形態の場合、フォーカスリング３６の回転角度を検出するためにエンコーダ３８を使用しているため、フォーカスリング３６の回転角度に端点は存在しないが、フォーカスレンズ１６が至近端に位置したとき、すなわち、ホームポジションに位置したときのフォーカスリング３６の位置を前記基準点とし、この点を回転角度０とする。
【００２０】
通常用いられるレンズ移動曲線Ａに対して、図３のＢに示すレンズ移動曲線は、フォーカスリング３６の回転角度の狭い範囲でフォーカスレンズ１６が至近端から無限遠端まで移動し、かつ、至近側より無限側において滑らかにフォーカスレンズ１６が移動するように設定されている。レンズ移動曲線Ｂによれば、フォーカスリング３６の少ない操作量でフォーカスレンズ１６を至近端から無限遠端まで高速で移動させることができ、また、フォーカス調整の困難な無限遠側では、至近側よりフォーカスレンズ１６の位置を微調整することができるため、フォーカス調整が行い易いという利点がある。
【００２１】
このようにフォーカスレンズ１６のレンズ移動曲線は設定手段によって任意に設定することができ、設定されたレンズ移動曲線は、ＣＰＵ３４内のメモリに記録される。ＣＰＵ３４は、カウンタ４０からフォーカスリング３６の回転角度を検出すると、図２に示すようにポテンショメータ４８からＡ／Ｄコンバータ５４を介してフォーカスレンズ１６の現在位置を検出し、フィーカスリング３６の回転角度とフォーカスレンズ１６の現在位置とからフォーカスレンズ１６の移動位置を前記メモリに記録したレンズ移動曲線を参照して求める。そして、フォーカスレンズ１６の移動位置を示す制御信号を上述のようにＤ／Ａコンバータ４４を介してモーター駆動回路４２に出力する。これにより、フォーカスレンズ１６は、フォーカスリング３６の回転操作に連動してレンズ移動曲線に基づいて移動する。
【００２２】
ところで、フォーカスリング３６の回転角度を回転制止端の存在しないエンコーダ３８で検出する場合には、カメラマンはフォーカスレンズ１６の至近端から無限遠端までの可変範囲の位置を検知することが困難となる。
【００２３】
このため、図２に示すようにＣＰＵ３４には、これを検知させるためのＬＥＤ表示装置（表示手段）５６が接続されている。ＣＰＵ３４は、ポテンショメータ４８からＡ／Ｄコンバータ５４を介して検出されるフォーカスレンズ１６の現在位置に基づき、その現在位置に対応するＬＥＤ表示装置５６の複数のＬＥＤ５６Ａ、５６Ｂ、５６Ｃ、５６Ｄ、５６Ｅ、５６Ｆ、５６Ｇ、５６Ｈ、５６Ｉのうち一つのＬＥＤを点灯させるようにＬＥＤ駆動回路５８を制御する。
【００２４】
また、ＬＥＤ表示装置５６は、図１の如くフォーカスリング３６近傍の鏡胴１２の外表面に設けられるとともに、ＬＥＤ５６Ａ〜５６Ｉがフォーカスリング３６の回動方向に沿って並設されている。また、ＬＥＤ表示装置５６の近傍の鏡胴１２には、フォーカスレンズ１６の現在位置、すなわち、撮影距離を数値（０．８、１、２、３．５、∞）で示した目盛り板６０がフォーカスリング３６の回動方向に沿って設けられている。この数値（０．８、１、２、３．５、∞）に沿って、ＬＥＤ５６Ａ〜５６Ｉが配列されている。
【００２５】
したがって、図２に示したＣＰＵ３４は、例えばフォーカスレンズ１６が至近端位置にある場合には、ＬＥＤ５６Ａを点灯又は点滅させ、１ｍの位置にある場合にはＬＥＤ５６Ｃを点灯又は点滅させ、２ｍの位置にある場合にはＬＥＤ５６Ｅを点灯又は点滅させ、３．５ｍの位置にある場合にはＬＥＤ５６Ｇを点灯又は点滅させ、無限遠端位置にある場合にはＬＥＤ５６Ｉを点灯又は点滅させるようにＬＥＤ駆動回路５８を制御する。
【００２６】
このように構成されたレンズ装置１０によれば、フォーカスリング３６を回動操作してフォーカスレンズ１６を移動させ、フォーカスレンズ１６の現在位置をポテンショメータ４８によって検出すると、ＣＰＵ３４は、その現在位置に基づいて、その現在位置に対応するＬＥＤ表示装置５６のＬＥＤ５６Ａ〜５６Ｉのうちの一つのＬＥＤを点灯又は点滅制御する。カメラマンは、点灯又は点滅したＬＥＤ５６Ａ〜５６Ｉのうちの一つのＬＥＤを確認し、そのＬＥＤに対応した目盛り板６０の数値を見ることにより、フォーカスレンズ１６の現在位置、すなわち、現在の撮影距離をレンズ装置１０の外観から確認することができる。
【００２７】
なお、実施の形態では、移動レンズとしてフォーカスレンズ１６について説明したが、ズームレンズ１８においても同様の回路構成で実現できる。すなわち、図１の如く鏡胴１２に対してエンドレスで回転するズームリング６２の近傍にＬＥＤ表示装置６４を設け、ＬＥＤ表示装置６４を構成する複数のＬＥＤのうち、その焦点距離に対応するＬＥＤをＣＰＵ３４により点灯又は点滅制御してもよい。ＬＥＤ表示装置６４に隣接して目盛り板６６が設けられているので、点灯又は点滅したＬＥＤから現在の焦点距離を、目盛り板６６に付された数値から確認することができる。
【００２８】
また、アイリスリング６８の近傍にＬＥＤ表示装置７０を設け、ＬＥＤ表示装置７０を構成する複数のＬＥＤのうち、現在のＦ値に対応するＬＥＤをＣＰＵ３４により点灯又は点滅制御してもよい。ＬＥＤ表示装置７０に隣接して目盛り板７２が設けられているので、点灯又は点滅したＬＥＤから現在のＦ値を、目盛り板７２に付された数値から確認することができる。
【図面の簡単な説明】
【００２９】
【図１】本発明の実施の形態に係るレンズ装置の要部側面図
【図２】図１に示したレンズ装置をブロックで示した構成図
【図３】フォーカスレンズの移動曲線の設定例を示した図
【符号の説明】
【００３０】
１０…レンズ装置、１２…鏡胴、１４…前玉レンズ、１６…フォーカスレンズ、１８…ズームレンズ、２０…絞り、２２…マスターレンズ、２４…カメラ部、２６…ＣＣＤ、３４…ＣＰＵ、３６…フォーカスリング、３８…ロータリーエンコーダ、４０…ロータリーエンコーダカウンタ、４２…モーター駆動回路、４６…ステッピングモーター、５０…電源スイッチ、５２…設定手段、５６…ＬＥＤ表示装置、５６Ａ〜５６Ｉ…ＬＥＤ、５８…ＬＥＤ駆動回路、６０…目盛り板
【図１】
2006201694.tif 000003
【図２】
2006201694.tif 000004
【図３】
2006201694.tif 000005